Podtech/llm-jp-corpus-v4-ja_patent huggingface dataset:
【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
少なくとも１つのシリコン系太陽光電池の回復装置であって、
前記太陽光電池（２）の支持部（１）と、
前記太陽光電池（２）内に電荷キャリアを生成するための手段（３）と、
を備える回復装置において、
液体（５）が満たされるタンク（４）を備え、かつ、前記支持部（１）は、前記太陽光電池（２）を前記液体（５）内に配置するように構成されている、ことを特徴とする回復装置。
【請求項２】
前記タンク（４）は、前記液体（５）の温度のレギュレータ（６）を備える、ことを特徴とする請求項１に記載の装置。
【請求項３】
前記液体（５）の温度の前記レギュレータ（６）は、前記太陽光電池（２）の温度を、５０℃〜２３０℃の温度範囲内に含まれる目標の温度値または範囲に調整するように構成されている、ことを特徴とする請求項２に記載の装置。
【請求項４】
前記液体（５）の温度の前記レギュレータ（６）は、前記タンク（４）の壁部に配置された電気抵抗ヒータおよび／または熱電装置を備える、ことを特徴とする請求項３に記載の装置。
【請求項５】
前記タンク（４）は、当該タンク（４）内における前記液体（５）の循環手段（７）を備える、ことを特徴とする請求項１乃至請求項４のいずれかに記載の装置。
【請求項６】
前記タンク（４）は、当該タンク（４）内における前記液体（５）の機械的撹拌手段（８）を備える、ことを特徴とする請求項１乃至請求項５のいずれかに記載の装置。
【請求項７】
前記タンク（４）内における前記液体（５）の表面に平行な方向（４−ａ）に前記太陽光電池（２）を移動させる、前記タンク（４）内における前記支持部（１）の移動手段（９）を備える、ことを特徴とする請求項１乃至請求項６のいずれかに記載の装置。
【請求項８】
前記支持部（１）は、前記支持部（１）に配置された前記太陽光電池（２）の表面に前記液体（５）が接触するように、通過孔（１０）を備える、ことを特徴とする請求項１乃至請求項７のいずれかに記載の装置。
【請求項９】
前記支持部（１）は、前記太陽光電池（２）の熱伝導率（λｃ）よりも高い熱伝導率（λｓ）を有する材料で作られている、ことを特徴とする請求項１乃至請求項８のいずれかに記載の装置。
【請求項１０】
前記電荷キャリア生成手段（３）は、前記太陽光電池（２）に光照射するための光源（３ｂ）を備える、ことを特徴とする請求項１乃至請求項９のいずれかに記載の装置。
【請求項１１】
前記光源（３ｂ）は、レーザ光源を備える、ことを特徴とする請求項１０に記載の装置。
【請求項１２】
前記光源（３ｂ）と前記太陽光電池（２）との間に配置された光学系（３ｂ’）を備える、ことを特徴とする請求項１０および請求項１１のいずれかに記載の装置。
【請求項１３】
前記電荷キャリア生成手段（３）は、前記太陽光電池（２）に電流を注入するための手段を備える、ことを特徴とする請求項１乃至請求項１２のいずれかに記載の装置。
【請求項１４】
少なくとも１つのシリコン系太陽光電池（２）の回復方法であって、前記太陽光電池（２）内の電荷キャリアの生成により光照射下の効率の劣化に対抗する、回復方法において、
前記太陽光電池（２）内に電荷キャリアの生成を行う際に、前記太陽光電池（２）を液体（５）に浸漬することにより、前記太陽光電池（２）の温度を、５０℃〜２３０℃の温度範囲に含まれる目標の温度値または範囲に調整する、ことを特徴とする回復方法。
【請求項１５】
前記液体（５）は、１００℃を超える沸点を有する、ことを特徴とする請求項１４に記載の回復方法。
【請求項１６】
前記液体（５）は、エチレングリコール（ethylene glycol）またはグリセロール（glycerol）あるいは水溶性切削油（soluble cutting oil）を含む、ことを特徴とする請求項１４に記載の回復方法。
【手続補正書】
【提出日】平成28年8月22日(2016.8.22)
【手続補正１】
【補正対象書類名】特許請求の範囲
【補正対象項目名】全文
【補正方法】変更
【補正の内容】
【特許請求の範囲】
【請求項１】
溶接機のワイヤー送給機において駆動ロールを支持する駆動ロールキャリヤにおいて、
回転駆動することができるギヤと、
外周面を有するとともに、溶接ワイヤーを搬送するように駆動ロールを支持するハブであって、該ハブは、前記ギヤの回転が該ハブおよび前記駆動ロールの回転に変換されるように前記ギヤに対して配置され、該ハブは、前記ギヤに比較的近い内端部と、前記ギヤから比較的遠い外端部とを有し、前記駆動ロールを受けて、該駆動ロールを該駆動ロールキャリヤに装着するように構成されている、ハブと、
前記ハブの前記外周面から延出し、前記ハブに対して長手方向に固定され、前記ハブに対して略径方向に可動であり、該駆動ロールキャリヤに対する前記駆動ロールの装着および選択的な保持を提供する、リテーナーと、
前記ハブに対して長手方向かつ前記ハブ外周面の径方向外方に延びているラグであって、該ラグは、前記駆動ロールに係合して前記ハブの回転を前記駆動ロールに伝達するとともに、前記リテーナーよりも前記ハブ外端部の近くに配置されている外端部を有し、前記駆動ロールが該ラグの前記外端部に係合して、前記駆動ロールを該駆動ロールキャリヤに装着する間、前記駆動ロールを該ラグに位置合わせするようになっているラグとを具備し、
前記駆動ロールを取り外すとき、前記リテーナーが、前記ハブに対して長手方向に固定された状態で、前記ハブに対して概ね半径方向内側に移動して、駆動ロールがリテーナーの頂部を通過するようにした駆動ロールキャリヤ。
【請求項２】
溶接機のワイヤー送給機において駆動ロールを支持する駆動ロールキャリヤにおいて、
回転駆動することができるギヤと、
外周面を有するとともに、溶接ワイヤーを搬送するように駆動ロールを支持するハブであって、該ハブは、前記ギヤの回転が該ハブおよび前記駆動ロールの回転に変換されるように前記ギヤに対して配置され、該ハブは、前記ギヤに比較的近い内端部と、前記ギヤから比較的遠い外端部とを有し、前記駆動ロールを受けて、該駆動ロールを該駆動ロールキャリヤに装着するように構成され、更に、該ハブの内端部と外端部の各々に該ハブを回転自在に支持する軸受が配設されているハブと、
前記ハブの前記外周面から延出し、前記ハブに対して長手方向に固定され、前記ハブに対して略径方向に可動であり、該駆動ロールキャリヤに対する前記駆動ロールの装着および選択的な保持を提供するリテーナーと、
前記ハブに対して長手方向かつ前記ハブ外周面の径方向外方に延びているラグであって、該ラグは、前記駆動ロールに係合して前記ハブの回転を前記駆動ロールに伝達するとともに、前記リテーナーよりも前記ハブ外端部の近くに配置されている外端部を有し、前記駆動ロールが該ラグの前記外端部に係合して、前記駆動ロールを該駆動ロールキャリヤに装着する間、前記駆動ロールを該ラグに位置合わせするようになっているラグとを具備し、
前記ハブの前記内端部の軸受が前記ギア内に配設されるように、前記ギアと前記ハブは一体に形成されている駆動ロールキャリヤ。
【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
キャビティを有するインキュベータ用の光線療法パネルであって、
１又は複数の光源を保持するように構成されるハウジングであって、透明な又は半透明な光放出表面を有するとともに、前記キャビティ内にフィットするように構成される、ハウジングと、
１又は複数の光源であって、前記１又は複数の光源の活性化に応じて及び前記光線療法パネルが乳児の適切な近さのところに配されることに応じて、前記１又は複数の光源によって放出される電磁放射線が、光線療法を乳児に提供するために、前記ハウジングの光放出表面を通じてガイドされる、光源とを有する光線療法パネル。
【請求項２】
直流電流を供給する電源を更に有し、前記１又は複数の光源が、１又は複数の発光ダイオードを含み、前記電源が、活性化の際、前記１又は複数の発光ダイオードに直流電流を供給する、請求項１に記載の光線療法パネル。
【請求項３】
コンピュータプログラムモジュールを実行するように構成される１又は複数のプロセッサを更に有し、前記コンピュータプログラムモジュールは、放出される電磁放射線の量が光モジュールの１又は複数の設定により調整可能であるように前記１又は複数の光源を制御する光モジュールを含む、請求項２に記載の光線療法パネル。
【請求項４】
放出される電磁放射線の１又は複数のパラメータに関連する情報を伝達する１又は複数の出力信号を生成する１又は複数のセンサを更に有し、前記１又は複数の光源を制御する光モジュールは、前記生成される１又は複数の出力信号に基づく、請求項３に記載の光線療法パネル。
【請求項５】
放出される電磁放射線の１又は複数のパラメータに関連する情報に基づいて推奨される治療レジメンを判定する治療モジュールを更に有し、前記１又は複数の光源を制御する前記光モジュールは、推奨される治療レジメンにも基づく、請求項４に記載の光線療法パネル。
【請求項６】
乳児支持本体の第１の透明な又は半透明な光放出表面の上に位置付けられる乳児を処置するのに適した光線療法パネルを提供する方法であって、前記光線療法パネルは、前記第１の透明な又は半透明な光放出表面の下に配され、前記方法は、
前記乳児支持本体の前記第１の透明な又は半透明な光放出表面の下に配されるハウジングを供給するステップであって、前記ハウジングは、第２の透明な又は半透明な光放出表面を有するとともに、高さは約３ｃｍより少なく、幅は約３５ｃｍより少なく、長さは約４５ｃｍより少ない、ステップと、
前記ハウジングによって１又は複数の光源を保持するステップであって、前記１又は複数の光源を活性化するとき、前記１又は複数の光源によって放出される電磁放射線が、前記ハウジングの第２の光放出表面を通じて、前記乳児支持本体の第１の光放出表面を通じて、ガイドされる、ステップとを含む方法。
【請求項７】
電源によって直流電流を供給するステップを含み、前記１又は複数の光源が、１又は複数の発光ダイオードを含み、前記電源が、前記活性化の際、前記１又は複数の発光ダイオードに直流電流を供給する、請求項６に記載の方法。
【請求項８】
放出される電磁放射線の量が調整可能であるように前記１又は複数の光源を制御するステップを含む、請求項７に記載の方法。
【請求項９】
放出される電磁放射線の１又は複数のパラメータに関連する情報を伝達する１又は複数の出力信号を生成するステップを含み、前記１又は複数の光源の前記制御は、前記生成された１又は複数の出力信号に基づく、請求項８に記載の方法。
【請求項１０】
放出される電磁放射線の１又は複数のパラメータに関連する情報に基づいて推奨される治療レジメンを判定するステップを含み、前記１又は複数の光源の前記制御は、推奨される治療レジメンにも基づく、請求項９に記載の方法。
【請求項１１】
乳児支持本体の透明な又は半透明な光放出表面の上に位置付けられる乳児に光線療法を提供するシステムであって、前記乳児支持本体は、透明な又は半透明な光放出表面の下に配されたキャビティを含み、前記システムは、
電磁放射線を放出する放出手段と、
前記放出手段を保持するハウジング手段であって、透明な又は半透明な光放出表面を有するとともに、前記キャビティ内にフィットするように構成されるハウジング手段と、
前記ハウジング手段を含み支持するハウジング支持手段と、
光線療法を乳児に提供するために、前記乳児支持本体の透明な又は半透明な光放出表面を通じて電磁放射線をガイドする手段と、
を有するシステム。
【請求項１２】
直流電流を供給する電源手段を有し、前記電源手段が前記放出手段に直流電流を供給する、請求項１１に記載のシステム。
【請求項１３】
放出される電磁放射線の量が調整可能であるように前記放出手段を制御する制御手段を有する、請求項１２に記載のシステム。
【請求項１４】
放出される電磁放射線の１又は複数のパラメータに関連する情報を伝達する１又は複数の出力信号を生成する手段を有し、前記制御手段の動作が、前記生成される１又は複数の出力信号に基づく、請求項１３に記載のシステム。
【請求項１５】
放出される電磁放射線の１又は複数であるパラメータに関連する情報に基づいて推奨される治療レジメンを判定する手段を有し、前記制御手段の動作が、推奨される治療レジメンにも基づく、請求項１４に記載のシステム。
【手続補正書】
【提出日】平成28年4月7日(2016.4.7)
【手続補正１】
【補正対象書類名】特許請求の範囲
【補正対象項目名】全文
【補正方法】変更
【補正の内容】
【特許請求の範囲】
【請求項１】
ホスホエノールピルビン酸からコハク酸(succinate)への酸化および還元経路の両方で必要とされる酵素が、コハク酸が嫌気性条件または微好気性条件下で発酵生産されるような均衡のとれた方法で該酸化経路および還元経路を実行するのに十分なレベルで細胞質中に存在する、遺伝子組み換え酵母細胞。
【請求項２】
ピルビン酸カルボキシラーゼ、ホスホエノールピルビン酸カルボキシラーゼおよびホスホエノールピルビン酸カルボキシキナーゼを含む群から選択されるカルボキシル化酵素をさらに含む、請求項１に記載の遺伝子組み換え酵母細胞。
【請求項３】
該酵母細胞が、サッカロミセス属、ピチア属、ハンゼヌラ属、イサタケンキア属、カンジダ属またはクリベロマイセス属のものである、請求項１に記載の遺伝子組み換え酵母細胞。
【請求項４】
ホスホエノールピルビン酸からコハク酸への酸化および還元経路の両方で必要とされる該細胞質内の酵素をコード化する１つまたはそれ以上の遺伝子が、酵母遺伝子由来である、請求項１に記載の遺伝子組み換え酵母細胞。
【請求項５】
ホスホエノールピルビン酸からコハク酸への酸化および還元経路の両方で必要とされる該細胞質内の酵素をコード化する１つまたはそれ以上の遺伝子が、細菌遺伝子由来である、請求項１に記載の遺伝子組み換え酵母細胞。
【請求項６】
該酸化経路および還元経路が、グリオキシル酸短絡回路の酵素を使用することなく実行される、請求項１に記載の遺伝子組み換え酵母細胞。
【請求項７】
ピルビン酸またはホスホエノールピルビン酸からコハク酸への酸化および還元経路の両方で必要とされる該細胞質内の酵素が、ホスホエノールピルビン酸カルボキシラーゼ、ピルビン酸カルボキシラーゼ、ＰＥＰカルボキシキナーゼ、リンゴ酸デヒドロゲナーゼ、フマラーゼ、フマル酸レダクターゼ、ピルビン酸キナーゼ、ピルビン酸デヒドロゲナーゼ、クエン酸シンターゼ、アコニターゼ、イソクエン酸デヒドロゲナーゼ、アルファケトグルタル酸デヒドロゲナーゼおよびスクシニルＣｏＡシンセターゼを含む群から選択される、請求項１に記載の遺伝子組み換え酵母細胞。
【請求項８】
該遺伝子組み換え酵母細胞が、代謝的に進化している、請求項１に記載の遺伝子組み換え酵母細胞。
【請求項９】
細胞質からミトコンドリアへのコハク酸の輸送に関与するジカルボキシレートトランスポーターに変異をさらに含む、請求項１に記載の遺伝子組み換え酵母細胞。
【請求項１０】
請求項１に記載の遺伝子組み換え酵母細胞を増殖させ、生産されたコハク酸を回収する工程を含む、コハク酸の生産方法。
【請求項１１】
該遺伝子組み換え酵母細胞が、該遺伝子組み換え酵母細胞のミトコンドリアと細胞質との還元当量の交換を促進するタンパク質をコード化する少なくとも１個の遺伝子をさらに含む遺伝子組み換え酵母細胞であって、ミトコンドリアと細胞質との還元当量の交換を促進するタンパク質をコード化する該遺伝子が、アスパラギン酸−リンゴ酸シャトルをコード化する遺伝子、グリセロール−３−リン酸デヒドロゲナーセシャトルをコード化する遺伝子およびアルコールデヒドロゲナーゼシャトルをコード化する遺伝子からなる群に由来する、請求項１に記載の遺伝子組み換え酵母細胞。
【請求項１２】
ホスホエノールピルビン酸（ＰＥＰ）からリンゴ酸への還元経路に必要な全ての酵素が、その細胞質において発現され、リンゴ酸からコハク酸への代謝に必要な酵素が発現されない、ホスホエノールピルビン酸カルボキシラーゼをコード化する遺伝子またはホスホエノールピルビン酸カルボキシキナーゼをコード化する遺伝子を含む、クリベロマイセス属およびイサタケンキア属から選択される遺伝子組み換え酵母細胞。
【請求項１３】
ホスホエノールピルビン酸（ＰＥＰ）からフマル酸への還元経路に必要な全ての酵素が、その細胞質において発現され、フマル酸からコハク酸への代謝に必要な酵素が発現されない、ホスホエノールピルビン酸カルボキシラーゼをコード化する遺伝子またはホスホエノールピルビン酸カルボキシキナーゼをコード化する遺伝子を含む、クリベロマイセス属およびイサタケンキア属から選択される遺伝子組み換え酵母細胞。
【請求項１４】
ＦＡＤレダクターゼの増加した活性を有する、コハク酸を生産する微生物細胞であって、該ＦＡＤレダクターゼ活性は１個またはそれ以上の異種遺伝子によりコードされている、微生物細胞。
【請求項１５】
ピルビン酸からのＤ−乳酸の形成を触媒するために代謝的に進化した、グリセロールデヒドロゲナーゼ遺伝子を含む、クリベロマイセス属およびイサタケンキア属から選択される遺伝子組み換え酵母細胞。
【請求項１６】
請求項１５に記載の酵母細胞を増殖させ、生産されたＤ−乳酸を回収することを含む、Ｄ−乳酸の生産方法。
【請求項１７】
該乳酸デヒドロゲナーゼがＤ−乳酸デヒドロゲナーゼであり、該遺伝子組み換え酵母細胞が、乳酸生産能を増強するために代謝的に進化した、天然に生じない乳酸デヒドロゲナーゼ遺伝子を含む、クリベロマイセス属およびイサタケンキア属から選択される遺伝子組み換え酵母細胞。
【請求項１８】
該乳酸デヒドロゲナーゼがＬ−乳酸デヒドロゲナーゼであり、該遺伝子組み換え酵母細胞が、乳酸生産能を増強するために代謝的に進化した、天然に生じない乳酸デヒドロゲナーゼ遺伝子を含む、クリベロマイセス属およびイサタケンキア属から選択される遺伝子組み換え酵母細胞。
【手続補正書】
【提出日】平成28年8月29日(2016.8.29)
【手続補正１】
【補正対象書類名】特許請求の範囲
【補正対象項目名】全文
【補正方法】変更
【補正の内容】
【特許請求の範囲】
【請求項１】
材料を基材上に供給するように構成される材料供給ユニットを有するタイプのディスペンサーを校正する方法であって、
表面上に材料のラインを供給することと、
前記表面上に供給された前記ラインの少なくとも１つの画像を取り込むことと、
前記表面上に供給された前記ラインの平均ライン幅を計算することと、
前記表面上に供給された前記ラインの前記平均ライン幅を所望のライン幅と比較することとを含むディスペンサーの校正方法。
【請求項２】
材料を基材上に供給するように構成される材料供給ユニットを有するタイプのディスペンサーに結合され、校正コンポーネントを備えたコントローラーであって、
該校正コンポーネントが、表面上に材料をライン状に供給することと、
前記表面上に供給された前記ラインの少なくとも１つの画像を取り込むことと、
前記表面上に供給された前記ラインの平均ライン幅を計算することと、
前記表面上に供給された前記ラインの前記平均ライン幅を所望のライン幅と比較することとを実施するように構成されるコントローラー。
【手続補正書】
【提出日】平成28年9月21日(2016.9.21)
【手続補正１】
【補正対象書類名】特許請求の範囲
【補正対象項目名】全文
【補正方法】変更
【補正の内容】
【特許請求の範囲】
【請求項１】
水分量測定器と、カメラと、データおよび画像を送信するための電線またはコードとを含んだハウジングを備える装置であって、
前記ハウジングが、第１の突出部、第２の突出部および第３の突出部、ならびに中央の把持部分を有し、
当該第１の突出部、当該第２の突出部および当該第３の突出部は、当該中央の把持部分から放射状に伸びており、
前記第１の突出部が、当該突出部の末端に前記水分量測定器を含むように構成されており、
前記水分量測定器が、アスペクト比が１：１〜２０：１の表面評価領域を備え、
前記水分量測定器が、皮膚および／または髪の水分量を測定し、且つ、測定された水分量データに対応するデータを撮影するよう構成されており、
前記第２の突出部が、当該突出部の末端に前記カメラを含むように構成されており、
前記カメラは画像を撮影するよう構成されており、
前記第３の突出部が、前記水分量測定器からのデータと前記カメラで撮影された画像とをコンピュータに送信するよう構成された電線またはコードを備えるように構成されている、装置。
【請求項２】
前記アスペクト比が≧２：１である、請求項１に記載の装置。
【請求項３】
前記アスペクト比が≧３：１である、請求項２に記載の装置。
【請求項４】
前記表面評価領域が楕円形状であり、
当該楕円の幅は長軸を画定し、かつ、当該楕円の高さは短軸を画定する、請求項１に記載の装置。
【請求項５】
前記アスペクト比が≧２：１である、請求項４に記載の装置。
【請求項６】
前記表面評価領域が横長形状である、請求項１に記載の装置。
【請求項７】
前記横長形状が、角が丸い長方形である、請求項６に記載の装置。
【請求項８】
前記表面評価領域が長円形状である、請求項１に記載の装置。
【請求項９】
前記画像および前記データが前記コンピュータに保存される、請求項１に記載の装置。
【請求項１０】
前記カメラはプリント回路基板とつながっている、請求項１に記載の装置。
【請求項１１】
発光ダイオードをさらに備える、請求項１に記載の装置。
【請求項１２】
前記ダイオードが、前記ダイオードを支持するリング上に位置する、請求項１１に記載の装置。
【請求項１３】
ディフューザをさらに備え、
前記ダイオードが、カメラが支持される前記ハウジングの開口部に向かって前記ディフューザに面する、請求項１２に記載の装置。
【請求項１４】
前記装置がＵＳＢポートを介して前記コンピュータと通信する、請求項１に記載の装置。
【請求項１５】
前記水分量測定器が、協働して静電容量を測定するトランスデューサとインタフェース回路とを備える、請求項１に記載の装置。
【請求項１６】
静電容量の変化が、水分量の測定に使用される、請求項１５に記載の装置。
【請求項１７】
皮膚または毛髪のための特定の消費者製品を消費者に推奨する方法であって、
請求項１に記載の装置を消費者の頭皮に当て、データおよびイメージを、画像によって予めプログラムされたコンピュータに送信することによって、肌の水分量に対応するデータを得、且つ、ユーザーの頭皮または皮膚の少なくとも１つの画像を撮影することを含み、
前記コンピュータは、前記データに基づいて水分量値を、および、撮影した画像と予めプログラムされた画像との比較に基づいてスコアを、計算し、当該水分量値および当該スコアに基づいて製品の推奨を提供するよう構成されている、方法。
【手続補正書】
【提出日】平成28年7月5日(2016.7.5)
【手続補正１】
【補正対象書類名】特許請求の範囲
【補正対象項目名】全文
【補正方法】変更
【補正の内容】
【特許請求の範囲】
【請求項１】
容器本体の内部と流体連通している開口部を画定し且つ該容器本体の内部に単位用量の濃縮造影剤を含有する容器本体、ここで、該内部は、該濃縮造影剤を選択された希釈濃度へと希釈するための或る容量の液体を該開口部を通って受容するヘッドスペースを備えており、該単位用量の濃縮造影剤は、該開口部を通って該容器本体の内部に受容可能な或る容量の液体によって選択希釈濃度へと希釈されるように構成されている、
前記容器本体に取り付けて前記開口部を封鎖するキャップ、ならびに、
前記容器本体及び前記キャップが内部に共に配置されている該内部を画定する遮蔽部材、ここで該遮蔽部材は、前記濃縮造影剤を光及び／又は湿気から保護する、
を含む、使用者によって経口摂取される濃縮造影剤を提供するための器具。
【請求項２】
前記濃縮造影剤がヨード造影剤である、請求項１に記載の器具。
【請求項３】
前記ヨード造影剤がイオヘキソールである、請求項２に記載の器具。
【請求項４】
前記濃縮造影剤が機能的賦形剤又は添加剤を含まない、請求項１〜３のいずれかに記載の器具。
【請求項５】
前記濃縮造影剤が粉末形態である、請求項１〜４のいずれかに記載の器具。
【請求項６】
イオヘキソールの単位用量が、８０ｍＬ〜２０００ｍＬの受容可能な容量の前記液体では０．５ｇＩ〜２５ｇＩである、請求項３〜５のいずれかに記載の器具。
【請求項７】
イオヘキソールの単位用量が、４ｍＬ〜２５０ｍＬの受容可能な容量の前記液体では０．２ｇＩ〜７５ｇＩである、請求項３〜５のいずれかに記載の器具。
【請求項８】
前記容器本体が、濃縮造影剤が前記或る容量の液体で希釈されている場合に、前記容器本体の開口部を通して濃縮造影剤を経口摂取することで患者により使用されるように構成されている、請求項１〜７のいずれかに記載の器具。
【請求項９】
前記容器本体が、少なくとも透明な部分と、該透明な部分の上に配置された複数の表示とを含み、該複数の表示のそれぞれの表示が、濃縮造影剤の単位用量の対応する既定の希釈を達成できるような、該容器本体の内部に受容される液体の容量に対応するものである、請求項１〜８のいずれかに記載の器具。
【請求項１０】
前記容器本体が少なくとも透明な部分を含み、前記器具が更に、
前記容器本体上に配置されたラベルを備えるとともに複数の表示を含み、該複数の表示のそれぞれが、濃縮造影剤の単位用量の対応する既定の希釈を達成できるような、該容器本体の内部に受容される液体の容量に対応するものであり、該複数の表示が前記透明な部分に隣接した前記ラベル上に配置されている、請求項１〜９のいずれかに記載の器具。
【請求項１１】
前記遮蔽部材がポリマー及びアルミニウムのラミネートを含む、請求項１〜１０のいずれかに記載の器具。
【請求項１２】
前記遮蔽部材が超音波シール及びヒートシールの一方により封着されている、請求項１〜１０のいずれかに記載の器具。
【請求項１３】
単位用量の濃縮造影剤を光及び／又は湿気から遮るように構成されている遮蔽部材の内部から、キャップが上に配置された容器本体を取り出す工程、ここで該容器本体は、該容器本体の内部に単位用量の濃縮造影剤を有しており、該容器本体の内部は濃縮造影剤を選択された希釈濃度へと希釈するための或る容量の液体を該容器本体の開口部を通って受容するヘッドスペースを備えている、
該容器本体からキャップを取り外す工程、
濃縮造影剤が選択希釈濃度へと希釈されるように、或る容量の液体を前記容器本体の内部に加える工程、ならびに
前記容器本体を使用者に提供する工程、
とを含む、使用者によって経口摂取される濃縮造影剤を提供する方法。
【請求項１４】
前記或る容量の液体を加えた後、前記キャップを前記容器本体に取り付けることと、
前記或る容量の液体が濃縮造影剤と混合されるように前記容器本体を振り動かすことと、
を更に含む、請求項１３に記載の方法。
【請求項１５】
前記濃縮造影剤が粉末形態のイオヘキソールである、請求項１３または１４に記載の方法。
【手続補正書】
【提出日】平成28年8月31日(2016.8.31)
【手続補正１】
【補正対象書類名】特許請求の範囲
【補正対象項目名】全文
【補正方法】変更
【補正の内容】
【特許請求の範囲】
【請求項１】
少なくとも1種の細胞組成物及び細胞外マトリクス(ECM)を、対象内の又は上の表面上に沈着することを含む、3次元組織を形成する方法。
【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
病変部位のアブレーション治療に超音波情報を使用する方法であって、
アブレーションによって治療される病変部位と、病変部位に近接する１つ以上の血管との治療計画画像を取得するステップと、
超音波画像において、アブレーションによって治療される病変部位を特定するステップと、
前記超音波画像内の関心領域に面形状部を置くことによって、病変部位にごく近接する１つ以上の血管を特定するステップと、
前記１つ以上の血管の血流と前記面形状部との交差部分における超音波ドップラーデータを取得することによって、特定された血管の血流から３次元超音波ドップラーデータを取得するステップと、
前記超音波ドップラーデータを使用して、特定された血管内を流れる血液の量を計算するステップと、
特定された血管内を流れる血液の量の熱輸送特性を考慮するアブレーション治療計画を立てるステップと、
を含み、
前記面形状部を置くステップは、前記超音波画像の前記治療計画画像との位置合わせによって得られる血管の位置の知識を使用して、自動的に行われる、方法。
【請求項２】
３次元超音波ドップラーデータを取得する前記ステップは、特定された血管の血流から３次元超音波ドップラー速度データを取得するステップを更に含む、請求項１に記載の方法。
【請求項３】
特定された血管内を流れる血液の量を計算する前記ステップは、血管の血流を通る面を描くステップと、前記面の面積全体に亘って流速データを積分するステップと、を更に含む、請求項２に記載の方法。
【請求項４】
１つ以上の血管を特定する前記ステップは、３次元超音波画像において１つ以上の血管を特定するステップを更に含む、請求項１に記載の方法。
【請求項５】
１つ以上の血管を特定する前記ステップは、２次元バイプレーン超音波画像において１つ以上の血管を特定するステップを更に含む、請求項１に記載の方法。
【請求項６】
治療計画画像を取得する前記ステップは、病変部位と病変部位に近接する１つ以上の血管の構造体とのＣＴ画像を取得するステップを更に含み、
面形状部を自動的に置く前記ステップは、超音波基準画像を前記ＣＴ画像と自動的に位置合わせするステップを更に含む、請求項１に記載の方法。
【請求項７】
面形状部を置く前記ステップは、１つ以上の血管を３次元形状と交差させるステップを更に含む、請求項１に記載の方法。
【請求項８】
面形状部を置く前記ステップは、１つ以上の血管を２次元形状と交差させるステップを更に含む、請求項１に記載の方法。
【請求項９】
アブレーション治療計画を立てる前記ステップは、血管の体積血流量と、特定された病変部位までの血管の近接性とを考慮するアブレーション治療計画を立てるステップを更に含む、請求項１に記載の方法。
【請求項１０】
治療部位のグラフィックディスプレイを修正するために、特定された血管内を流れる血液の量の前記熱輸送特性を使用するステップと、
を更に含む、請求項１に記載の方法。
【請求項１１】
熱輸送特性を使用する前記ステップは、アブレーションデバイスとの関連で、治療部位の前記グラフィックディスプレイを修正するために、特定された血管内を流れる血液の量の前記熱輸送特性を使用するステップを更に含む、請求項１０に記載の方法。
【請求項１２】
グラフィックディスプレイを修正する前記ステップは、前記熱輸送特性との関連で、治療部位のサイズのグラフィックディスプレイを修正するステップを更に含む、請求項１１に記載の方法。
【請求項１３】
非超音波診断画像において、アブレーションによって治療される病変部位を特定するステップと、
前記非超音波診断画像を前記超音波画像と解剖学的に位置合わせするステップと、
を更に含む、請求項１０に記載の方法。
【請求項１４】
アブレーション治療は、ＲＦアブレーション治療、マイクロ波アブレーション治療、高密度焦点式超音波治療又は冷凍アブレーション治療を更に含む、請求項１０に記載の方法。
【手続補正書】
【提出日】平成28年7月25日(2016.7.25)
【手続補正１】
【補正対象書類名】特許請求の範囲
【補正対象項目名】全文
【補正方法】変更
【補正の内容】
【特許請求の範囲】
【請求項１】
少なくとも１つのトレイ（１０）を備え、前記トレイ（１０）が、前記トレイ（１０）の底面（１４）と平行な少なくとも１つの第１の支持棚（１１）を導入し取り出すための少なくとも１つの開口側を有する、薬剤容器用部品（１７）包装構造において、
前記少なくとも１つの第１の支持棚（１１）が、前記トレイ（１０）の内壁（１５）に対応して載置されるとともに所定の空間分布で配された第１のシート又は空洞（１３）を有し、前記第１のシート又は空洞（１３）内に、ラバーキャップ（１７）、圧着スナップ付きナット（２０）又は他の種類の封止ナット及び／又はキャップ等の、前記容器の閉鎖部品及び／又は汎用付属品が載置されて、各閉鎖部品の鉛直軸線が前記トレイ（１０）の前記底面（１４）に対して垂直となるようになっており、これにより、前記シート又は空洞（１３）内に挿入された前記閉鎖部品及び／又は汎用付属品の滅菌性及び清浄性が保証されるようになっており、
前記閉鎖部品の前記少なくとも１つの第１の支持棚（１１）が、少なくとも１つ第２の支持棚（１２）と連結し、前記少なくとも１つの第２の支持棚（１２）が、前記閉鎖部品の前記少なくとも１つの第１の支持棚（１１）と平行であるとともに所定の空間分布で配された第２のシート又は空洞（１６）を有し、前記第２のシート又は空洞（１６）が、前記閉鎖部品の前記少なくとも１つの第１の支持棚（１１）の前記第１のシート又は空洞（１３）に対応して設けられ、
ラバーキャップ又はプラグ（１７）が、前記少なくとも１つの第２の支持棚（１２）の前記第２のシート又は空洞（１６）内の位置に挿入・保持され、フェルール（２０）及び／又は容器のスナップロックデバイス等のアルミニウム及び／又はプラスチックシールが、前記少なくとも１つの第１の支持棚（１１）の前記第１のシート又は空洞（１３）内に載置されていることを特徴とする包装構造。
【請求項２】
前記ラバーキャップ又はプラグ（１７）が、前記第２のシート又は空洞（１６）の各々の１つずつであって、前記薬剤容器の入力領域に対応する前記第２のシート又は空洞（１６）の上面（１８）に戴置されていることを特徴とする、請求項１に記載の包装構造。
【請求項３】
少なくとも２つの前記閉鎖部品が、前記第１のシート又は空洞（１３）或いは前記第２のシート又は空洞（１６）内部に挿入される前に予め一つに組み立てられることを特徴とする、請求項１及び２の少なくとも一項に記載の包装構造。
【請求項４】
前記トレイ（１０）の前記開口側が、少なくとも１つの多孔質濾過メンブレンを用いて封止される、請求項１〜３の少なくとも一項に記載の包装構造。
【請求項５】
前記トレイ（１０）が、少なくとも１つの保護エンクロージャ内に封入され、前記保護エンクロージャが、選択的に透過性を有する材料で作られるシートから少なくとも部分的に形成されることを特徴とする、請求項１〜４の少なくとも一項に記載の包装構造。
【請求項６】
前記保護エンクロージャが、前記容器及び／又は前記閉鎖部品の１つ以上の積層トレイ（１０）及び／又は１つ以上の前記支持棚（１１，１２）を含むことを特徴とする、請求項５に記載の包装構造。
【請求項７】
前記閉鎖部品が、前記第１のシート又は空洞（１３）或いは前記第２のシート又は空洞（１６）の各々内に予め組み立てられることを特徴とする、請求項１に記載の包装構造。
【請求項８】
前記第２の支持棚（１２）の前記第２のシート又は空洞（１６）間に各成形領域（１９）が形成されて、前記包装構造の保全性及び固さ、並びに、前記第１と前記第２の支持棚（１１，１２）間及び前記各支持棚（１１，１２）の前記第１のシート又は空洞（１３）と前記第２のシート又は空洞（１６）との間の鉛直方向の完璧な中央揃えを確保するようになっていることを特徴とする、請求項１〜７の少なくとも一項に記載の包装構造。
【手続補正書】
【提出日】平成28年8月4日(2016.8.4)
【手続補正１】
【補正対象書類名】特許請求の範囲
【補正対象項目名】全文
【補正方法】変更
【補正の内容】
【特許請求の範囲】
【請求項１】
２つのみのランプモジュールを備え、それぞれのランプモジュールはＬＥＤの２次元アレイを備え、前記ランプモジュールのそれぞれは前記２つのランプモジュールが実質的に同じ平面内で互いに実質的に平行な方向に向き付けられる第１の位置と前記ランプモジュール間の角度が５０〜７０度である第２の位置との間で移動可能であるように構成される光線力学療法用ランプ。
【請求項２】
前記第１の位置において、前記ランプモジュール間の角度は１５７〜１８０度である請求項１に記載の光線力学療法用ランプ。
【請求項３】
前記ランプモジュールのそれぞれは、前記第１の位置と前記第２の位置との間に画成される範囲内のみ移動可能であるように構成される請求項１または２に記載の光線力学療法用ランプ。
【請求項４】
前記光線力学療法用ランプが使用中の場合、前記ランプモジュールと患者の処置領域との間の距離は、約５〜約８ｃｍまでである請求項１〜３のいずれか一項に記載の光線力学療法用ランプ。
【請求項５】
前記ランプモジュールは、前記ランプモジュールを前記第１および第２の位置に係止するように構成された係止要素を備える請求項１〜４のいずれか一項に記載の光線力学療法用ランプ。
【請求項６】
移動可能な基部、および前記２つのランプモジュールを前記基部と移動可能に接続する支持アームをさらに備える請求項１〜５のいずれか一項に記載の光線力学療法用ランプ。
【請求項７】
それぞれのランプモジュールは、光学窓を有するハウジングを備え、前記ハウジング内には、ＬＥＤの前記２次元アレイ、ＬＥＤの前記アレイが装着されている基板、ヒートシンク、ＬＥＤの前記アレイを冷却するように構成されている冷却ユニット、および少なくとも１つのドライバモジュールが設けられる請求項１〜６のいずれか一項に記載の光線力学療法用ランプ。
【請求項８】
前記少なくとも１つのドライバモジュールからの電流は可変であり、固定された照射時間内に設定光線量の送達条件を動作時に満たすように適合される請求項７に記載の光線力学療法用ランプ。
【請求項９】
動作しているときに、前記ＬＥＤの発光出力は、前記冷却ユニットにより温度を制御することによって一定に保たれる請求項７または８に記載の光線力学療法用ランプ。
【請求項１０】
前記光線力学療法用ランプが使用中の場合、前記ランプモジュールと患者の処置領域との間の距離は、５〜８ｃｍまでであり、
ＬＥＤの前記アレイの放射照度は、３０〜１５０ｍＷ／ｃｍ2である請求項１〜９のいずれか一項に記載の光線力学療法用ランプ。
【請求項１１】
前記ＬＥＤは、コリメートＬＥＤである請求項１〜１０のいずれか一項に記載の光線力学療法用ランプ。
【請求項１２】
前記第１の位置の角度は、１６３〜１７２度である請求項１〜１１のいずれか一項に記載の光線力学療法用ランプ。
【請求項１３】
動作しているときに、ＬＥＤの前記アレイのそれぞれのＬＥＤは、６３２ｎｍ±５ｎｍの公称波長の光を放射する請求項１〜１２のいずれか一項に記載の光線力学療法用ランプ。
【請求項１４】
請求項１〜１３のいずれか一項に記載の光線力学療法用ランプを使用する座瘡の光線力学処置に使用される組成物であって、前記組成物は５−ＡＬＡエステルまたはその塩を含む組成物。
【請求項１５】
前記５−ＡＬＡエステルは、５−ＡＬＡメチルエステルである請求項１４に記載の組成物。
【手続補正書】
【提出日】平成28年8月30日(2016.8.30)
【手続補正１】
【補正対象書類名】特許請求の範囲
【補正対象項目名】全文
【補正方法】変更
【補正の内容】
【特許請求の範囲】
【請求項１】
毛を挟み、引き抜き、離すことによって、皮膚から毛を取り除くための脱毛装置であって、前記脱毛装置は、
ハンドルと、前記ハンドルから延在する第１の肩部及び第２の肩部であって前記第１の肩部と前記第２の肩部との間に開いた顎部を形成する第１の肩部及び第２の肩部と、を定義する、筐体と、
軸、第１及び第２の端部、並びに少なくとも一対の毛抜き要素を持つ毛抜き部であって、前記毛抜き部は、使用の間に前記軸のまわりに回転するよう装着され、前記毛抜き部の周縁部において毛が挟まれ得る少なくとも１つの挟み領域を定義し、前記毛抜き部は、前記第１及び第２の端部が、それぞれ前記第１及び第２の肩部によって支持されるよう、前記顎部に装着された、毛抜き部と、
前記筐体内に配置され、前記毛抜き部を前記軸のまわりに回転させる回転運動をもたらすように構成された、駆動機構と、
を有し、
前記毛抜き部は、前記筐体の前側から前記筐体の後側まで前記装置を通して開口が形成されるようなものとなる前記ハンドルからの距離において前記肩部間に装着され、前記開口は、前記ハンドル、前記肩部及び前記毛抜き部によって境界付けられた脱毛装置において、
前記開口は、前記毛抜き部に対する径方向において、前記毛抜き部の半径に少なくとも等しい高さを持つことを特徴とする、脱毛装置。
【請求項２】
前記毛抜き部は直径及び前記軸に平行な方向における幅を持ち、前記幅と前記直径との比は２よりも小さい、請求項１に記載の装置。
【請求項３】
前記開いた顎部は全体的にＵ字型であり、前記開口はＤ字型であり、前記Ｄ字型の直線側は前記毛抜き部によって形成された、請求項１又は２のいずれか一項に記載の装置。
【請求項４】
前記軸は剛性である、請求項１乃至３のいずれか一項に記載の装置。
【請求項５】
前記軸は湾曲している、請求項１乃至４のいずれか一項に記載の装置。
【請求項６】
前記肩部は、前記ハンドルから延在して顎部方向を定義し、前記湾曲した軸は、０°乃至４５°の角度で前記顎部方向と交差する面内にあり、前記挟み領域は、前記筐体の前側において定義される、請求項５に記載の装置。
【請求項７】
前記筐体の後側において前記第１の肩部から前記第２の肩部まで延在する離隔棒を更に有する、請求項１乃至６のいずれか一項に記載の装置。
【請求項８】
前記毛抜き部を少なくとも部分的にカバーするように前記筐体に装着可能な、取り外し可能な保護部を更に有する、請求項１乃至７のいずれか一項に記載の装置。
【請求項９】
装着された位置において、前記保護部は、前記筐体の前側において前記開口をカバーする、請求項８に記載の装置。
【請求項１０】
前記保護部はスロット又は穴を有し、前記スロット又は穴は、前記毛抜き部による係合のため前記スロット又は穴を通して毛が突出することを可能とする、請求項８又は９に記載の装置。
【請求項１１】
前記保護部は、前記筐体に機械的に留められる、請求項８乃至１０のいずれか一項に記載の装置。
【請求項１２】
前記保護部は、前記筐体に磁気的に装着される、請求項８乃至１０のいずれか一項に記載の装置。
【請求項１３】
前記筐体の後側において前記第１の肩部から前記第２の肩部まで延在する離隔棒を更に有し、前記保護部は、前記離隔棒に装着される、請求項８乃至１２のいずれか一項に記載の装置。
【請求項１４】
前記毛抜き部は、前記毛抜き部の外周部において毛抜き要素を持つ複数のディスクを有し、前記ディスクは、前記軸において回転可能に装着され、前記毛抜き要素が前記挟み領域において互いに係合するように付勢された、請求項１乃至１３のいずれか一項に記載の装置。
【手続補正書】
【提出日】平成28年9月8日(2016.9.8)
【手続補正１】
【補正対象書類名】特許請求の範囲
【補正対象項目名】全文
【補正方法】変更
【補正の内容】
【特許請求の範囲】
【請求項１】
軸と、第１端部及び第２端部と、少なくとも１つの対のピンセット要素とを有するピンセット部であって、使用中に前記軸を中心に回転するように取り付けられ、毛がつままれる前記ピンセット部外周の少なくとも１つのピンチング領域を規定する、当該ピンセット部と、
前記ピンセット部を、前記軸を中心に回転させるための回転運動を付与する、駆動要素と、
前記ピンセット部が第１及び第２の支持要素に対して回転することのできるように、前記ピンセット部を当該ピンセット部のそれぞれの端部で支持し、前記ピンチング領域での毛のピンチングを誘発するために、前記ピンチング領域において前記対のピンセット要素にピンチング力を付与するための、前記第１及び前記第２の支持要素と、
を有し、少なくとも前記第１の支持要素は、
前記ピンセット部の前記第１端部を支持するための位置決め構造を備える金属板を有する、前記ピンセット部の前記第１端部を支持するための取付要素と、
前記ピンチング力を生成するばね要素と、
回転する前記ピンセット部に前記ピンチング力を伝達する軸受要素と、
を有し、
前記取付要素、前記ばね要素、及び前記軸受要素は、少なくとも１つの屈曲部を有する単一の板状部材から、単一の単体構造の支持要素として一体に形成される、
毛をつまみ、引っ張り、抜くことによって毛を皮膚から除去するための脱毛装置。
【請求項２】
前記軸受要素は、前記位置決め構造に対して同軸に取り付けられる座金を有し、前記ばね要素は、前記座金を前記取付要素に接続するアームを有する、請求項１に記載の脱毛装置。
【請求項３】
前記駆動要素は、前記ピンセット部の前記第１端部で、前記取付要素と前記軸受要素との間に取り付けられる歯車を有する、請求項１又は２に記載の脱毛装置。
【請求項４】
第２の前記支持要素は、前記第１の支持要素に対して対称であり、一体の軸受要素、ばね要素、及び取付要素を有する、請求項１乃至３の何れか一項に記載の脱毛装置。
【請求項５】
前記第２の支持要素は、前記ピンセット部の前記第２端部を支持するための位置決め構造を有し、かつ軸受面を有する、平板を有する、請求項１乃至３の何れか一項に記載の脱毛装置。
【請求項６】
前記ピンセット部は、前記支持要素から支持される非回転シャフトに担持される、請求項１乃至５の何れか一項に記載の脱毛装置。
【請求項７】
前記軸は湾曲する、請求項１乃至６の何れか一項に記載の脱毛装置。
【請求項８】
前記ピンセット部は、隣接するディスクの間に形成されるピンセット要素を有する複数のディスクを有する、請求項１乃至７の何れか一項に記載の脱毛装置。
【請求項９】
前記ピンセット部の一番目のディスクは、軸受板を備える、請求項８に記載の脱毛装置。
【請求項１０】
前記ピンセット部の両側に、互いに向かって５度〜３０度の間の角度がつけられている、略平面の軸受面を有する、請求項１乃至９の何れか一項に記載の脱毛装置。
【請求項１１】
前記支持要素と前記ピンセット部とを取り囲み、前記ピンチング領域へのアクセス開口を規定する、ヘッド部を更に有する、請求項１乃至１０の何れか一項に記載の脱毛装置。
【請求項１２】
前記第２の支持要素は、前記単一の板状部材から一体に形成される、請求項１に記載の脱毛装置。
【請求項１３】
前記第１及び前記第２の支持要素は底板によって相互に接続され、前記底板は、前記単一の板状部材から一体に形成され、前記板状部材のそれぞれの屈曲部によって前記第１及び第２の支持要素と接続される、請求項１２に記載の脱毛装置。
【手続補正書】
【提出日】平成28年5月25日(2016.5.25)
【手続補正１】
【補正対象書類名】特許請求の範囲
【補正対象項目名】全文
【補正方法】変更
【補正の内容】
【特許請求の範囲】
【請求項１】
排便における補助のためのデバイスであって、
前記デバイスは、排便中のしゃがみの圧力をシミュレートするために使用され、前記デバイスは、ユーザの膝にフィットするサイズの持ち運び可能な手持ち式本体を備え、
前記本体は、前記ユーザの腹部に印加されると腸運動を促進し得る異なる圧力点を規定する複数の異なる形状を規定する表面を伴って細長く、
前記デバイスの前記複数の圧力点のうちの１つは、前記ユーザの下腹部に対して配置され、
前記デバイスの前記複数の圧力点のうちの前記１つからの圧力は、前記ユーザの結腸に印加される、デバイス。
【請求項２】
前記デバイスは、発泡体で作製される、請求項１に記載のデバイス。
【請求項３】
前記デバイスは、プラスチックで作製される、請求項１に記載のデバイス。
【請求項４】
前記複数の異なる形状のうちの１つは、平坦な表面を有する半月形である、請求項１に記載のデバイス。
【請求項５】
前記複数の異なる形状のうちの１つは、湾曲状である、請求項１に記載のデバイス。
【手続補正２】
【補正対象書類名】明細書
【補正対象項目名】００２１
【補正方法】変更
【補正の内容】
【００２１】
第３の実施形態は、外側表面と、堅固であるが柔軟な材料（単数または複数）で充填された内側部分とを伴う球体である、デバイスを教示する。
本発明は、例えば、以下を提供する。
（項目１）
排便における補助のためのデバイスであって、前記デバイスは、
細長い本体と、
第１の端部と、
第２の端部と
を備え、前記細長い本体は、前記第１の端部に接続され、前記第２の端部は、前記第１の端部および前記第２の端部と形状である、デバイス。
（項目２）
前記第１の端部および前記第２の端部は、半月形である、項目１に記載のデバイス。
（項目３）
前記第１の端部および前記第２の端部は、円形である、項目１に記載のデバイス。
（項目４）
前記第１の端部および前記第２の端部は、四角形である、項目１に記載のデバイス。
（項目５）
前記デバイスは、発泡体で作製される、項目１に記載のデバイス。
（項目６）
前記デバイスは、木材で作製される、項目１に記載のデバイス。
（項目７）
前記デバイスは、プラスチックで作製される、項目１に記載のデバイス。
（項目８）
前記デバイスは、金属で作製される、項目１に記載のデバイス。
（項目９）
排便における補助のための方法であって、前記方法は、
排便中のしゃがみの圧力をシミュレートするためのデバイスを取得するステップであって、前記デバイスは、
細長い本体と、
第１の端部と、
第２の端部と
をさらに備え、前記細長い本体は、前記第１の端部に接続され、前記第２の端部は、前記第１の端部および前記第２の端部と同じ形状である、ステップと、
トイレットに着座するステップと、
前記ユーザの下腹部に対して前記デバイスの配置を可能にするステップと、
前記デバイスから前記ユーザの結腸に圧力をかけるステップと、
腸を動かすステップと
を含む、方法。
（項目１０）
前記第１の端部および前記第２の端部は、半月形である、項目９に記載の方法。
（項目１１）
前記第１の端部および前記第２の端部は、円形状である、項目９に記載の方法。
（項目１２）
前記第１の端部および前記第２の端部は、四角形である、項目９に記載の方法。
（項目１３）
前記デバイスは、発泡体で作製される、項目９に記載の方法。
（項目１４）
前記デバイスは、木材で作製される、項目９に記載の方法。
（項目１５）
前記デバイスは、プラスチックで作製される、項目９に記載の方法。
（項目１６）
前記デバイスは、金属で作製される、項目９に記載の方法。
（項目１７）
前記デバイスは、球状であり、第１の端部と第２の端部とを接続する細長い本体を有しないが、必要に応じて、腹部に直接適用されることができる、項目９に記載の方法。
（項目１８）
排便における補助のためのデバイスであって、前記デバイスは、外側表面と、堅固であるが柔軟な材料（単数または複数）で充填された内側部分とを伴う球体を備える、デバイス。